(57)【特許請求の範囲】
【請求項１】
テープを供給するテープ供給手段と、テープ巻付け手段と、前記テープ巻付け手段を回転させる回転手段と、媒体束を搬送する搬送手段とを備え、
前記テープ供給手段から供給されるテープの先端部を初期位置で挟持した前記テープ巻付け手段を前記回転手段により半回転させつつ媒体束の搬送経路を横切るように移動させることで前記テープを前記媒体束の搬送経路を遮るように伸ばし、
前記搬送手段により搬送される媒体束の先端が前記テープを押すことで、前記テープが媒体束の表裏面を覆うようにした後、前記テープ巻付け手段を前記回転手段によりもう半回転させつつ再び前記搬送経路を横切るように移動させ、前記媒体束を前記搬送手段により逆方向に搬送することで前記テープを媒体束に巻付けて結束することを特徴とする媒体結束装置。
【請求項２】
請求項１記載の媒体結束装置において、
前記テープ巻付け手段は軸に取付けられ、該軸を回転させることで前記テープ巻付け手段が前記搬送経路を横切るように移動することを特徴とする媒体結束装置。
【請求項３】
請求項１記載の媒体結束装置において、
前記テープ巻付け手段を移動させる移動手段を備え、
前記テープ巻付け手段は軸に取付けられ、該軸が前記移動手段によりＣ字形の長穴に沿って移動することで前記テープ巻付け手段が前記搬送経路を横切るように移動することを特徴とする媒体結束装置。
【請求項４】
請求項１記載の媒体結束装置において、
前記テープ巻付け手段を移動させる移動手段を備え、
前記テープ巻付け手段は軸に取付けられ、該軸が前記移動手段により前記搬送経路と直行する方向の直線状の長穴に沿って移動することで前記テープ巻付け手段が前記搬送経路を横切るように移動することを特徴とする媒体結束装置。
【請求項５】
請求項３記載の媒体結束装置において、
前記搬送手段は前部と後部に分割され、前部側の搬送手段と後部側の搬送手段の間の入りに前記テープ巻付け手段を配置したことを特徴とする媒体結束装置。
【発明の詳細な説明】
【技術分野】
【０００１】
本発明は、現金処理機等で計数された一定枚数の紙幣等の媒体をテープで結束する媒体結束装置に関するものである。
【背景技術】
【０００２】
銀行等の金融機関の営業店内には出納機と呼ばれる大型の現金処理機が配置され、金融機関の係員の操作により現金の入出金処理が行われるが、この現金処理機は処理機内部で計数された金種毎の一定枚数の紙幣をテープで結束する紙幣結束装置（媒体結束装置）を有している。
従来の紙幣結束装置としては、基部を回転可能に軸支した旋回アームの先端にチャック部を設け、テープ供給部から供給されるテープの先端部を挟持位置にて前記チャックで挟持し、その挟持位置から略１８０度の位置にある待機位置にチャックが移動するように前記旋回アームを回転させて前記テープが搬送手段を遮るようにしておき、この状態で挟持部材により送られてくる紙幣束（集積紙幣）の紙幣を結束位置に送り込むと共に、この紙幣束により前記テープを押込み、更に前記紙幣束を上下に搬送ベルトで挟持してから、前記旋回アームを回転させて前記チャックを巻付け終了位置まで移動させることにより前記テープを前記紙幣束に巻付け、その後前記紙幣束をクランプ部材でクランプすると共にテープの弛みを取り、カッターで前記テープを切断すると同時に接着鏝で前記テープの巻付け端を熱接着するものが提案されている（例えば、特許文献１参照）。
【０００３】
また、紙幣束に対するテープの巻付けを、収納部から繰出されたテープ（紙帯）を搬送手段を遮るように上方へ引き上げるキャッチと、引き上げられたテープの先端を紙幣束の後端面に沿って下方に折り曲げる上スプーンと、下方に折り曲げられたテープを更に紙幣束の下面に沿って折り曲げる下スプーンとで行うようにした技術ある（例えば、特許文献２参照）。
【特許文献１】特開２００３−３００５０１
【特許文献２】特開２０００−１９０９１３
【発明の開示】
【発明が解決しようとする課題】
【０００４】
しかしながら、上述した従来の技術においては、以下の問題がある。
すなわち、特許文献１による技術では、テープを挟持するチャックを先端に設けた旋回アームにより紙幣束（媒体束）にテープを巻きつけるため、テープ両端を重ね合わせて接着するための接着部の距離（長さ）を得るためには、旋回アームの回転範囲を大きくとる必要があり、そのため機構の大型化を招くというという問題がある。
【０００５】
また、特許文献２による技術では、キャッチ、上スプーン、下スプーンという複数の部材に巻き付け動作を分担させているので、装置が大型化するという問題はないが、複数の部材をそれぞれ動作させることから部品点数が増え、装置が複雑化すると共に高価になるという問題を有している。
本発明は、このような問題を解決することを課題とする。
【課題を解決するための手段】
【０００６】
そのため、本発明の媒体結束装置は、テープを供給するテープ供給手段と、テープ巻付け手段と、前記テープ巻付け手段を回転させる回転手段と、媒体束を搬送する搬送手段とを備え、前記テープ供給手段から供給されるテープの先端部を初期位置で挟持した前記テープ巻付け手段を前記回転手段により半回転させつつ媒体束の搬送経路を横切るように移動させることで前記テープを前記媒体束の搬送経路を遮るように伸ばし、前記搬送手段により搬送される媒体束の先端が前記テープを押すことで、前記テープが媒体束の表裏面を覆うようにした後、前記テープ巻付け手段を前記回転手段によりもう半回転させつつ再び前記搬送経路を横切るように移動させ、前記媒体束を前記搬送手段により逆方向に搬送することで前記テープを媒体束に巻付けて結束することを特徴とする。
【発明の効果】
【０００７】
このようにした本発明は、媒体束を搬送するだけでなく逆方向にも搬送させながらテープ巻付け手段でテープを媒体束に巻付けるため、テープ巻付け手段は最低媒体束の厚さだけ通過できる範囲の移動量で済み、そのためテープ巻付け手段の移動範囲を小さくできるため、小型化を図ることができると共に、テープ巻付け動作を複数の部材に分担させないので、部品点数が増加したり、装置が複雑化することもなく、安価に実現できるという効果が得られる。
【発明を実施するための最良の形態】
【０００８】
以下、図面を参照して本発明による媒体結束装置の実施例を説明する。
【実施例】
【０００９】
図１は第１の実施例を示す概略側面図で、ここでは媒体として紙幣を結束する媒体結束装置の例を示している。
図において１は紙等を素材としたテープ２のロールで、このロール１は直径方向が水平になるように寝かせて配置されている。
３ａ〜３ｃはテープ２の送り経路に沿って配置されたテープ供給ローラ（テープ供給手段）で、ロール１から引出されたテープ２は図示しないガイドにより上方に導かれてテープ面が水平になるようにテープ供給ローラ３ａ、３ｂ間に保持され、テープ供給ローラ３ｂ、３ｃ間で斜め上方に供給されるようになっている。
【００１０】
４はテープ供給ローラ３ａ、３ｂ間でテープ２に印字を行うように設けられた印字部（印字手段）、５はテープを後述するテープ巻付け手段に案内するガイドローラ、６はテープ供給ローラ３ａとガイドローラ５との間でテープ２を切断するように配置されたカッター（切断手段）、７はテープ２に塗布してある糊を溶着させるためのヒータ（溶着手段）である。
【００１１】
８は下部搬送ベルト、９は上部搬送ベルトで、それぞれ複数のローラにより支持されており、後述する紙幣束の搬送経路に沿って配置されている。
この下部搬送ベルト８と上部搬送ベルト９は紙幣束を挟持して搬送する搬送手段を構成し、上部搬送ベルト６は図示しない回動手段によってローラ１０を中心に上下方向に回動できるようになっている。
【００１２】
１１はテープ２の先端部を挟持して紙幣束に巻付けるテープ巻付け手段で、下部搬送ベルト８と上部搬送ベルト９から成る搬送手段の一側に設けられ、搬送手段の上流側に位置しており、その下方にヒータ７が所定の方向に移動するように設けられている。
図２はテープ巻付け手段１１を示す斜視図で、この図に示したようにテープ巻付け手段１１は挟持部材１２と１３により成り、挟持部材１２と１３の各々の基部には円板状等の支持板１２ａと１３ａがほぼ直角に起立するように形成されている。
【００１３】
そして、挟持部材１２の支持板１２ａは筒状の外軸１４に固定され、この外軸は図示しないフレームに設けた支持穴に挿通されている。
一方、挟持部材１３の支持板１３ａは外軸１４の内部に通した図示しない中心軸に固定されていて、外軸１４が図示しない回転手段により回転することで挟持部材１２は矢印Ａ、Ｂ方向に回動し、これにより挟持部材１２と１３は開閉するものとなっている。
【００１４】
また、挟持部材１３が前記回転手段により前記外軸と一体に矢印Ｂ方向に１回転円運動するとき、挟持部材１２も挟持部材１３と共に矢印Ｂ方向に円運動するものと成っていて、  更に、挟持部材１２、１３によるテープ巻付け手段１１は図示しない機構により紙面の奥行き方向に移動可能となっている。
図３は紙幣束２０を搬送する下部搬送ベルト８と上部搬送ベルト９からなる搬送手段の斜視図で、この図に示したようにテープ巻付け手段１１は挟持部材１２と１３が下部搬送ベルト８と上部搬送ベルト９に干渉しないように配置されており、紙幣束２０の下側（片面側）となる位置を初期位置としている。
【００１５】
上述した構成による第１の実施例の作用を図４〜図１１を用いて説明する。
図４は実施例の作用を示すテープ送り時の側面図、図５はテープ巻付け手段１１の開閉工程を示す斜視図、図６はテープ巻付け手段１１の反転動作時の側面図、図７はテープ巻付け手段１１が反転した状態を示す斜視図、動作時の側面図、図８はテープ巻付け動作時の側面図、図９はテープ巻付け手段１１によるテープ巻付け工程を示す側面図、図１０はテープ巻付け終了時の側面図、図１１はテープ溶着時の状態を示す側面図である。
【００１６】
尚、以下に説明する各部の動作は、図示しない記憶部に格納された制御プログラム（ソフトウェア）に基づいて図示しない制御部により制御されるものとする。
まず、図４に示すようにロール１から引出されたテープ２がテープ供給ローラ３ａ〜３ｃにより挟持され、テープ２の先端がカッターによる切断位置に停止している状態において、テープ供給ローラ３ａ〜３ｃの回転によりテープ２が送り経路に沿って供給される。
【００１７】
このテープ供給に伴ってテープ供給ローラ３ａ、３ｂ間で印字部４によりテープ２に日付や当該現金処理機が設置されている支店名等が印字される。
また、テープ２が供給されることで、テープ２の先端部は図示しないガイドに導かれてガイドローラ５に挟持され、更にこのガイドローラ５の回転によりテープ２の先端部はテープ巻付け手段１１に向かって送られる。
【００１８】
このときテープ巻付け手段１１は、挟持部材１２、１３が図５（ａ）に示すように開いた状態で初期位置に待機しており、また搬送手段の上部搬送ベルト９はローラ１０を中心に所定角度上方に回動して待機している。
この状態でテープ２の先端部が挟持部材１２、１３間に進入すると、挟持部材１２、１３が図５（ｂ）に示すように閉じてテープ２の先端部を挟持する。
【００１９】
この場合の挟持部材１２、１３の開閉は、前記のように外軸１４を図示しない回転手段によりで回転させることで挟持部材１２が矢印Ａ、Ｂ方向に回転動作することにより行われる。
続いてテープ供給ローラ３ａ〜３ｃによりテープ２を供給しながら、外軸１４及び中心軸と共に挟持部材１２、１３を回転手段により時計回り方向（図２の矢印Ｂ方向）に略半回転（約１８０度回転）させ、これにより図６に示すようにテープ巻付け手段１１を紙幣束２０の搬送経路を横切らせて前記テープ２を前記紙幣束２０の搬送経路を遮るように伸ばすと共に、図７に示したようにテープ巻付け手段１１を上下に反転させる。
【００２０】
そして、図示しない手段により紙幣束２０が搬送手段の下部搬送ベルト８と上部搬送ベルト９の間に送り込まれてくると、上部搬送ベルト９はローラ１０を中心に下方に回動して下部搬送ベルト８との間に紙幣束２０を挟持する。
その後、上下の搬送ベルト８、９が図示しないベルト駆動手段により駆動されて回転し、これによりの紙幣束２０が矢印方向に搬送されるが、その際、紙幣束２０は前端面でテープを押込み、このときのテープ供給ローラ３ａ〜３ｃの回転によりテープ２の供給が行われることで、テープ２は図８に示したように紙幣束２０の上下を覆うように引出される。
【００２１】
搬送ベルト８、９は紙幣束２０を所定距離だけ搬送した後停止されるが、このときの紙幣束２０の停止は、停止位置付近に設けた図示しない位置確認センサが紙幣束２０を検知したときの信号に基づいて制御される。
続いてテープ供給ローラ３ａ〜３ｃの回転によりテープ２を供給しながら、外軸１４及び中心軸と共に挟持部材１２、１３を回転手段により時計回り方向にもう半回転（１８０度回転）させ、これによりテープ巻付け手段１１を図９（ａ）に示したように紙幣束２０の後端上方から搬送経路を横切って図９（ｂ）に示したように紙幣束２０の後端下方に回り込むように移動させて初期位置に戻すと共にテープ巻付け手段１１を再び上下に反転させる。
【００２２】
この動作により紙幣束２０の後端がテープ２で囲い込まれ、その後テープ供給ローラ３ａ〜３ｃの回転によりテープ２を送出しながら上下の搬送ベルト８、９が図示しないベルト駆動手段により逆方向に駆動されて回転する。
これによりの紙幣束２０が逆方向に搬送されることで、図１０に示したようにテープ２が紙幣束２０を一周するように巻付けられるので、その後カッター６を動作させてテープ２をその両端部が重なり合う長さに切断し、更に図１１に示したようにヒータ７を図示しないヒータ駆動手段により動作させてテープ２の重なり合った部分を下方から押圧してテープ２に塗布されている糊を熱溶着させて接着する。
【００２３】
このようにして紙幣束２０をテープ２で結束した後、挟持部材１２を矢印Ａ方向に少し移動してテープ２を挟持力から開放し、テープ巻付け手段１１を紙面奥側に移動させて引抜き、搬送ベルト８、９をベルト駆動手段により駆動して紙幣束２０を搬送し、図示しない排出口から排出する。
以上説明した第１の実施例によると以下の効果が得られる。
【００２４】
図１２は第１の実施例の効果を説明する図で、前記特許文献１に示される従来の技術では、図１２（ａ）に示したようにテープの接着部の距離Ｌ１を得るためには、テープを紙幣束に巻付けるための旋回アームは直径Ｌ２の回転範囲が必要となり、そのため機構が大型化するという問題を有していたが上述した第１の実施例によれば、紙幣束を逆方向に搬送させながらテープ巻付け手段でテープを紙幣束に巻付けるため、テープ巻付け手段は最低紙幣束の厚さだけ通過できる範囲の移動量で済み、そのため図１２（ｂ）に示したように、テープ巻付け手段の移動に要する直径をＬ２より小さいＬ３にすることができるため、装置の高さ方向を小さく作ることが可能となり装置の小型化を図ることができる。
【００２５】
また、紙幣束は同じ搬送手段を往復させるため、搬送距離も短くすることができ、そのため高さだけでなく搬送方向の大きさも小さくすることができる。
また、前記特許文献２による従来の技術のように、テープの巻き付け動作を分担せず、１つのテープ巻付け手段により巻付け動作を行うため、部品点数が少なくて済み、少ない部品点数で実現できるために部品的にも安定した装置を実現することができる。
【００２６】
図１３は本発明の第２の実施例を示す要部斜視図である。
この第２の実施例は、挟持部材１２の支持板１２ａを固定した外軸１４をフレームに設けた開放部を下に向けたＣ字形の長穴１５に滑動自在に嵌合させ、これにより挟持部材１２と１３を図示しない移動手段により外軸１４と一体に長穴１５に沿って移動できるようにすると共に、その移動に伴って際挟持部材１２と１３は外軸１４及び前記中心軸が図示しない回転手段により一体に回転にすることで矢印Ｃ、Ｄ方向にそれぞれほぼ１回転できるようにしている。
【００２７】
尚、本実施例では、外軸１４が紙面に向かって反時計回り方向における長穴１５の一端で停止する位置をテープ巻付け手段１１の初期位置として設定している。
この他の構成は第１の実施例と同様である。
このような構成による第２の実施例の作用について説明する。
まず、テープ供給ローラ３ａ〜３ｃによるテープ２の供給、印字部４によるテープ２への印字、テープ巻付け手段１１の挟持部材１２、１３によるテープ２先端部の挟持まで第１の実施例と同様に行われる。
【００２８】
続いてテープ供給ローラ３ａ〜３ｃによりテープ２を供給しながら、外軸１４及び中心軸と共に挟持部材１２、１３を回転手段により時計回り方向に半回転（１８０度回転）させつつ、移動手段により外軸１４と図示しない中心軸を長穴１５に沿ってその上部（中央部）まで移動させ、これによりテープ巻付け手段１１を紙幣束２０の搬送経路を横切らせて前記テープを前記紙幣束の搬送経路を遮るように伸ばすと共に、テープ巻付け手段１１を上下に反転させる。
【００２９】
そして、図示しない手段により紙幣束２０が搬送手段の下部搬送ベルト８と上部搬送ベルト９の間に送り込まれてくると、上部搬送ベルト９はローラを中心に下方に回動して下部搬送ベルト１０との間に紙幣束２０を挟持する。
その後、上下の搬送ベルト８、９が図示しないベルト駆動手段により駆動されて回転し、これによりの紙幣束２０が矢印方向に搬送されるが、その際、紙幣束２０は前端面でテープを押込み、このときのテープ供給ローラ３ａ〜３ｃの回転によりテープ２の供給が行われることで、テープ２は図８に示したように紙幣束２０の上下を覆うように引出される。
【００３０】
搬送ベルト８、９は紙幣束２０を所定距離だけ搬送した後停止されるが、このときの紙幣束２０の停止は、停止位置付近に設けた図示しない位置確認センサが紙幣束２０を検知したときの信号に基づいて制御される。
続いてテープ供給ローラ３ａ〜３ｃの回転によりテープ２を供給しながら、外軸１４及び中心軸と共に挟持部材１２、１３を回転手段により時計回り方向にもう半回転（１８０度回転）させつつ、移動手段により挟持部材１２、１３を外軸１４と図示しない中心軸と共に長穴１５に沿ってその上部（中央部）まで移動させ、これによりテープ巻付け手段１１を紙幣束２０の後端上方から搬送経路を横切って紙幣束２０の後端下方に回込むように移動させると共にテープ巻付け手段１１を再び上下に反転させる。
【００３１】
この動作により紙幣束２０の後端がテープ２で囲い込まれる。
その後、テープ供給ローラ３ａ〜３ｃの回転によりテープ２を送出しながら上下の搬送ベルト８、９によりの紙幣束２０が逆方向に搬送することで、テープ２が紙幣束２０を一周するように巻付けられるので、以後第１の実施例と同様にカッター６でテープ２を切断し、ヒータ７でテープ２の重なり合った部分を接着して紙幣束２０を結束した後、テープ巻付け手段１１を紙面奥側に移動させて引抜き、紙幣束２０を図示しない排出口から排出する。
【００３２】
以上説明した第２の実施例によれば、第１の実施例と同様の効果が得られると共に、挟持部材１２、１３の支持板１２ａ、１３ａの高さを第１の実施例のものと比べて低くできるので、より小型化を図ることが可能となる。
図１４は本発明の第３の実施例の構成を示す側面図、図１５はテープ巻付け手段１１を示す斜視図である。
【００３３】
この第３の実施例は、上述した第２の実施例のＣ字形の長穴１５の代わりに図１５に示したように紙幣束２０の搬送経路と直行する方向に伸びる直線状の長穴１６をフレームに設けて、この長穴１６にテープ巻付け手段１１の挟持部材１２を固定した外軸１４を滑動自在に嵌合させ、これにより挟持部材１２と１３を外軸１４と一体に長穴１６にそって矢印Ｃ、Ｄ方向（上下方向）に移動するようにしたもので、外軸１４が長穴１６の一端で停止する位置をテープ巻付け手段１１の初期位置として設定している。
【００３４】
このような構成による第３の実施例の作用について説明する。
まず、テープ供給ローラ３ａ〜３ｃによるテープ２の供給、印字部４によるテープ２への印字、テープ巻付け手段１１の挟持部材１２、１３によるテープ２先端部の挟持まで第１、第２の実施例と同様に行われる。
テープ２の先端部を挟持部材１２、１３が挟持すると、テープ供給ローラ３ａ〜３ｃによりテープ２を供給しながら、外軸１４及び中心軸と共に挟持部材１２、１３を回転手段により時計回り方向に半回転（１８０度回転）させつつ、移動手段により外軸１４を図１４に示す長穴１６に沿ってその上端まで移動させ、これによりテープ巻付け手段１１を紙幣束２０の搬送経路を横切らせてテープ２を前記紙幣束２０の搬送経路を遮るように伸ばすと共に、テープ巻付け手段１１を上下に反転させる。
【００３５】
その後、第１、第２の実施例と同様に図示しない手段により下部搬送ベルト８と上部搬送ベルト９の間に送り込まれてくる紙幣束２０を搬送することで、紙幣束２０の先端によりテープ２が押されて紙幣束２０の上下を覆うように引出され、そして紙幣束２０の後端がテープ巻付け手段１１の位置を通過するまで紙幣束２０が搬送された後停止される。
続いてテープ供給ローラ３ａ〜３ｃの回転によりテープ２を供給しながら、外軸１４を長穴１６に沿ってその下端まで移動させると共に、外軸１４及び中心軸と共に挟持部材１２、１３を時計回り方向に９０度回転させてテープ巻付け手段１１を再び上下に反転させる。
【００３６】
この動作により紙幣束２０の後端がテープ２で囲い込まれる。
その後、テープ供給ローラ３ａ〜３ｃの回転によりテープ２を送出しながら上下の搬送ベルト８、９によりの紙幣束２０が逆方向に搬送することで、テープ２が紙幣束２０を一周するように巻付けられるので、以後第１の実施例と同様にカッター６でテープ２を切断し、ヒータ７でテープ２の重なり合った部分を接着して紙幣束２０を結束した後、テープ巻付け手段１１を紙面奥側に移動させて引抜き、紙幣束２０を図示しない排出口から排出する。
【００３７】
以上説明した第３の実施例によれば、第１、第２の実施例と同様の効果が得られると共に、テープ巻付け手段１１を紙幣束２０の厚さ分だけ上下動させればよいので、よりいっそうの小型化を図ることが可能となる。
図１６は第４の実施例を示す要部斜視図で、この第４の実施例は搬送手段を成す下部搬送ベルト８と上部搬送ベルト９を前部と後部に分割して、前部側下部搬送ベルト８ａ及び前部側上部搬送ベルト９ａと後部側下部搬送ベルト８ｂ及び後部側上部搬送ベルト９ｂにより紙幣束２０の搬送手段を構成し、この前部側下部搬送ベルト８ａ及び前部側上部搬送ベルト９ａと後部側下部搬送ベルト８ｂ及び後部側上部搬送ベルト９ｂの間にテープ巻付け手段１１を配置したもので、この他の構成は第３の実施例と同様である。
【００３８】
このような構成による第４の実施例は第３の実施例と同様の作用でテープ２により紙幣束２０を結束することが可能であり、例えばテープ２を紙幣束２０の中央部に巻付けることができるので安定した結束を行うことができる。
尚、本発明は上述した実施例に限られるものではない。
例えば、搬送ベルト８、９は図示したものより幅広のものでもよいし、テープ巻付け手段１１と反対側の位置で紙幣束２０の複数個所を挟持するものでもよい。
【００３９】
また、上部搬送ベルト９（または９ａ、９ｂ）はローラ１０を中心に回動するものとしたが、下部搬送ベルト８に対して平行に上下動するものでもよく、更に上部搬送ベルト９の位置を固定として下部搬送ベルト８が回動あるいは上下動するものでもよい。
更に、上述した実施例では結束対象を紙幣束として説明したが、証券や金券などの有価証券、あるいは交通機関で使用される券（例えば回収した乗車券）等の媒体の束を結束する装置においても適用可能である。
【図面の簡単な説明】
【００４０】
【図１】第１の実施例を示す概略側面図
【図２】テープ巻付け手段を示す斜視図
【図３】紙幣束を搬送する搬送手段の斜視図
【図４】実施例の作用を示すテープ送り時の側面図
【図５】テープ巻付け手段の開閉工程を示す斜視図
【図６】テープ巻付け手段の反転動作時の側面図
【図７】テープ巻付け手段が反転した状態を示す斜視図
【図８】テープ巻付け動作時の側面図
【図９】テープ巻付け手段によるテープ巻付け工程を示す側面図
【図１０】テープ巻付け終了時の側面図
【図１１】テープ溶着時の状態を示す側面図
【図１２】第１の実施例の効果を説明する図
【図１３】第２の実施例を示す要部斜視図
【図１４】第３の実施例の構成を示す側面図
【図１５】テープ巻付け手段を示す斜視図
【図１６】第４の実施例を示す要部斜視図
【符号の説明】
【００４１】
１    ロール
２    テープ
３ａ〜３ｃ  テープ供給ローラ
４    印字部
５    ガイドローラ
６    カッター
７    ヒータ
８    下部搬送ベルト
９    上部搬送ベルト
１０  ローラ
１１  テープ巻付け手段
１２、１３  挟持部材
１２ａ、１３ａ  支持板
１４  外軸
１５、１６  長穴
２０  紙幣束
【図１】
0005018414.tif 000002
【図２】
0005018414.tif 000003
【図３】
0005018414.tif 000004
【図４】
0005018414.tif 000005
【図５】
0005018414.tif 000006
【図６】
0005018414.tif 000007
【図７】
0005018414.tif 000008
【図８】
0005018414.tif 000009
【図９】
0005018414.tif 000010
【図１０】
0005018414.tif 000011
【図１１】
0005018414.tif 000012
【図１２】
0005018414.tif 000013
【図１３】
0005018414.tif 000014
【図１４】
0005018414.tif 000015
【図１５】
0005018414.tif 000016
【図１６】
0005018414.tif 000017